(57)【要約】【課題】複数のルアーを装着できるルアー用仕掛けにおいて、水面への投入時に絡みにくくすることを課題とする。【解決手段】ルアー用仕掛けとして、釣り糸を連結できる構造が前端に設けられた前方部と、前記前方部後部から下方に突出し、錘を固定できる構造又は錘が設けられた錘保持部と、前記前方部後部から後方に放射状に広がる２以上の線材からなり、各線材の後方側にルアーを連結できる留め具が設けられるルアー装着部と、前記前方部後部から上方に突出し、浮き又は浮きを固定できる構造が設けられた浮き保持部とから構成する。【選択図】  図１
2013215134.tif 000002
【特許請求の範囲】
【請求項１】
釣り糸を連結できる構造が前端に設けられた前方部と、
前記前方部後部から下方に突出し、錘を固定できる構造又は錘が設けられた錘保持部と、
前記前方部後部から後方に放射状に広がる２以上の線材からなり、各線材の後方側にルアーを連結できる留め具が設けられるルアー装着部と、
前記前方部後部から上方に突出し、浮き又は浮きを動かないように固定できる構造が設けられた浮き保持部と
を有するルアー用仕掛け。
【請求項２】
前記浮き保持部は、前記前方部を左右に二分する鉛直な平面を通る線材、及び／又は、当該鉛直な平面に面対称になるように当該面に対して角度をもって上方に突出する二本の線材からなり、上部にルアーに連結できる留め具が設けられることで前記ルアー装着部の一部を兼ねる請求項１に記載のルアー用仕掛け。
【請求項３】
前記前方部は、前端から後方に延びる真っ直ぐな若しくはやや湾曲した線材により形成される請求項１又は２項に記載のルアー用仕掛け。
【請求項４】
前記ルアー装着部の前記留め具の位置は前記錘保持部に固定される錘又は前記錘保持部に設けられた錘の位置よりも高い位置となるよう形成される請求項１から３のいずれか１項に記載のルアー用仕掛け。
【請求項５】
前記錘保持部に設けられる留め具は、錘が一定以上の力で引張られると錘が脱落するように形成されるものである請求項1から４のいずれか１項に記載のルアー用仕掛け。
【請求項６】
前記錘保持部は、線材により前方から斜め下方に向かう傾斜部分が形成され、前記錘を固定できる構造又は前記設けられた錘は当該傾斜部分をスライド可能に固定されるものである請求項１から５のいずれか１項に記載のルアー用仕掛け。
【発明の詳細な説明】
【技術分野】
【０００１】
本発明は、ルアーを複数連結する釣り用の仕掛けに関する。
【背景技術】
【０００２】
従来、ルアー釣りでは、釣り糸に一つのルアーを連結して行なうことが一般的であった。これに対して、近年、アラバマリグと呼ばれる複数のルアーを並列して連結するルアー用の仕掛けが用いられるようになってきている。
図５にアラバマリグＡの斜視図を示す。アラバマリグＡは、釣り糸を連結するためのリングが設けられた前端a１と、前端から後方に放射状に伸びる線材ａ2とから構成され、各線材の後端にはルアーを取り付けるためのヨリモドシ付きの留め具ａ3が設けられている。
アラバマリグＡを用いるとルアーが魚の群れのように振舞うので、釣りの対象となる魚に注目されやすく、大きな釣果を得ることができる。
【発明の概要】
【発明が解決しようとする課題】
【０００３】
しかし、アラバマリグはルアーが複数放射状に取り付けてあるため、水面に投入する際、空中での姿勢が安定せず、空中や着水時に釣り糸にルアーが絡みやすい。
本発明はこのような問題に鑑み、複数のルアーを装着できるルアー用仕掛けにおいて、水面への投入時に絡みにくくすることを課題とする。
【課題を解決するための手段】
【０００４】
上記課題を解決するために、本発明は次のような構成を有する。
請求項１に記載の発明は、釣り糸を連結できる構造が前端に設けられた前方部と、前記前方部後部から下方に突出し、錘を固定できる構造又は錘が設けられた錘保持部と、前記前方部後部から後方に放射状に広がる２以上の線材からなり、各線材の後方側にルアーを連結できる留め具が設けられるルアー装着部と、前記前方部後部から上方に突出し、浮き又は浮きを動かないように固定できる構造が設けられた浮き保持部とを有するルアー用仕掛けである。釣り糸を連結できる構造としては、主にリングや鉤が想定されるが、糸を挟持できる構造や釣り糸先端に被係合部を設けておき、これに係合固定できる構造などでもよい。錘を固定できる構造としては、錘に固定されるリングに係合するクリップや、錘に固定されたクリップに係合するリング、錘に設けられた穴に係合する凸部、錘の外面に係合する凹部等が想定される。浮きを固定できる構造としては、浮きに設けられた穴に係合する凸部、浮きの外面に係合する凹部、狭持体などが想定される。
請求項２に記載の発明は、前記ルアー用仕掛けにおいて、前記浮き保持部は、前記前方部を左右に二分する鉛直な平面を通る線材、及び／又は、前記鉛直な平面に面対称になるように当該面に対して角度をもって上方に突出する二本の線材からなり、上部にルアーに連結できる留め具が設けられることで前記ルアー装着部の一部を兼ねるものである。
請求項３に記載の発明は、前記ルアー用仕掛けにおいて、前記前方部は前端から後方に延びる真っ直ぐな若しくはやや湾曲した線材により形成されるものである。
請求項４に記載の発明は、前記ルアー用仕掛けにおいて、前記ルアー装着部の前記留め具の位置は前記錘保持部に固定される錘又は前記錘保持部に設けられた錘の位置よりも高い位置となるよう形成されるものである。
請求項５に記載の発明は、前記ルアー用仕掛けにおいて、前記錘保持部に設けられる留め具は、錘が一定以上の力で引張られると錘が脱落するように形成されるものである。
請求項６に記載の発明は、前記ルアー用仕掛けにおいて、前記錘保持部は、線材により前方から斜め下方に向かう傾斜部分が形成され、前記錘を固定する構造、又は、前記設けられた錘は当該傾斜部分をスライド可能に固定されるものである。
【発明の効果】
【０００５】
請求項１に記載の発明は、水面に投入すると錘保持部分に固定される錘が先行することになり、ルアー装着部を構成する線材は釣り糸に対して一定の角度をもって安定した姿勢で空中を飛行し、この状態のまま着水するのでルアーが釣り糸に絡みにくい。さらに、錘を設けると全体として水中における浮力が低下することになり、水面近傍や水中の一定高さを引くことが難しいが、浮きと錘により浮力を任意に設定できるので、種々の深度でのルアーフィッシングを行うことができる。
請求項２に記載の発明は、浮き保持部もルアー装着部としての機能を果たすことで、より多くのルアーを固定することができる。
請求項３に記載の発明は、前方部を真っ直ぐな若しくはやや湾曲した線材により形成することで、空中を飛行する際に、ルアーと釣り糸との距離をより離すことができるので、空中や着水時において、さらにルアーが釣り糸に絡み難くなる。
請求項４に記載の発明は、水中では錘保持部が錘を有するために下方に位置し、浮き保持部は浮きを有するために上方に位置することとなるが、ルアーは錘の位置よりも高い位置に存するので、水底近傍でルアーを泳がせる場合に、錘が先に水底に当たるため、フックの付いたルアーが水底に当たる場合に比較して根掛りが生じにくい。
請求項５に記載の発明は、錘が一定以上の力で引張られると錘が脱落するようになっているので錘が根掛りしても錘だけ脱落し、他の部分を失うことなく回収することができる。
請求項６に記載の発明は、魚がルアーに食いついたときに錘がスライドすることで移動しないので、魚は錘の重さを感知しにくく、魚に違和感を与えることを遅らせることができる。そして、水面に投げるときには、錘は慣性で傾斜の後端に位置するので空中姿勢を安定させることができる。
【図面の簡単な説明】
【０００６】
【図１】実施形態に係るルアー用仕掛けの斜視図である。
【図２】（ａ）は錘用留め具の部分拡大斜視図であり、（ｂ）は錘用留め具のつるまき部を伸ばした状態を示す斜視図である。
【図３】（ａ）はルアー用仕掛けの空中での姿勢を示す側面図であり、（ｂ）はルアー用仕掛けの着水時の姿勢を示す側面図であり、（ｃ）はルアー用仕掛けの水中での姿勢を示す側面図である。
【図４】ルアー用仕掛けの変形例を示す斜視図である。
【図５】従来のルアー用仕掛けを示す斜視図である。
【発明を実施するための最良の形態】
【０００７】
以下、本発明の実施の形態について、図面を参照しながら説明する。
図１に実施形態に係るルアー用仕掛けＸの斜視図を示す。ルアー用仕掛けＸは前方部１０、錘保持部２０、浮き保持部３０、ルアー装着部４０とから構成される。
前方部１０はやや湾曲した線材から成り、前端がリング状に曲げられると共に伸縮チューブで端部が閉じられることで釣り糸を連結できる釣り糸連結部１１が形成されている。なお、前方部１０は長い線材のほぼ中央部分の結節部１２から前の部分であり、結節部１２から後方側はルアー装着部４０の一部を構成する。結節部１２は、後述する錘保持部２０の後部、浮き保持部３０の下端部、ルアー装着部４０を構成する線材の先端部が固定される部分である。結節部１２は固定部分が見えないように伸縮チューブで覆われている。
【０００８】
錘保持部２０は、線材を曲げて形成したものであり、前方から後方に向かって下るように傾斜する傾斜部２０ａと、傾斜部２０ａ後端から上方に立ち上がる後端部２０ｂを有する。傾斜部２０ａの前端は先端部１０の前方にロウ付けされることで固定され、後端部２０ｂの上端は前方部１０の結節部１２部分にロウ付けされることで固定されている。錘保持部２０を構成する線材にはリングにヨリモドシが連結し、先に留め具が連結した錘用留め具２１が、当該リングに線材が通されることで固定されている。これにより錘用留め具２１は傾斜部２０ａをスライドすることができる。図２（ａ）に錘用留め具２１の部分拡大斜視図を示す。錘用留め具２１の先端にはつるまき部２１ａが形成されている。つるまき部２１ａは、つるまき状に巻かれたバネから成り、図２（ｂ）に示すように引張ることで真っ直ぐに伸ばすことができ、力を離すと元の状態に戻ることができる。したがって、錘のリング部分を図２（ｂ）に示すよううに伸ばした状態で先端から入れると、先端から巻かれながら元に戻るので、リング部分を元に戻ったつるまき部２１ａの輪の中に入れることができる。このような構造を有するので、錘が一定以上の力で引っ張られると留め具を構成するバネが伸びて錘のみが脱落することとなる。
【０００９】
浮き保持部３０は後方にやや傾斜して上方に伸びる線材により形成され、下端部は前方部の結節部１２にロウ付けされて固定されている。浮き保持部３０の上端は曲げられてリング状に閉じられており、このリング部分にヨリモドシとクリップからなるルアー用留め具４１が固定されている。ルアー留め具４１が設けられることで、浮き保持部３０は後述するルアー装着部４０の一部も構成する。そして、中央に穴が開いた浮き３１が線材に通されてリング部分の直ぐ下に固定されている。
ルアー装着部４０は、上記浮き保持部３０を含めて左右、後方、上方に放射状に広がった４本の線材により構成される。後方に延びる線材４０ａは、前述したように前方部１０を構成する線材と一体であり、前方部１０の結節部１２より後方部分により形成される。左右の線材４０ｂ、４０ｃはそれぞれ前端が前方部１０に結節部１２にロウ付けにより固定され、左右に斜め方向に延びている。線材４０ａ、４０ｂ、４０ｃの後端は曲げられてリング状に閉じられており、このリング部分にヨリモドシとクリップからなるルアー用留め具４１が固定されている。また、後方に延びる線材４０ａのリング部分の手前にはスクリュー４２が設けられている。
【００１０】
次に、以上のような構成を有するルアー用仕掛けＸの使用方法及び作用について説明する。使用者は、錘保持部２０の錘用留め具２１に錘を固定し、ルアー装着部４０を構成するそれぞれの線材のルアー用留め具４１にルアーを固定する。この状態で、ルアー用仕掛けＸを水面に投げ入れると、空中では図３（ａ）に示すように錘Ｗが先行することで、前方部１０やこれに連結しているルアー装着部４０を構成する線材４０ａ、４０ｂ、４０ｃ、浮き保持部３０は釣り糸Ｆに対して一定の角度をもって立った状態となる。これによりルアーＬは釣り糸Ｆから離れた状態を保持できるので、空中でルアーＬが釣り糸Fに絡みにくい。また、着水時においても図３（ｂ）に示すように錘Ｗから水中に入り、着水することで錘Ｗの速度が低下し、ルアーＬは慣性により前方に回転するので、着水時にもルアーＬはほとんど釣り糸にからむことはない。
そして、水中の適当な位置に達したら、リールを巻いてルアーＬを水中で泳がせる。このとき、浮き保持部３０は浮き３１によって上方に向かう一方、錘保持部２０は錘Ｗによって下方に向かうので、図３（ｃ）に示すように、浮き保持部３０が上方に、錘保持部２０が下方になって安定した姿勢が維持される。また、全体の浮力は錘Ｗ、浮き３１、ルアーＬによって決まるので、バランスを調節することで任意の浮力を得ることができ、水中に沈ませたり、浮かせたり、水中でとどまらせたりすることが適宜行なえる。
また、水中に沈ませて水底を引く場合には、錘Ｗが水底に当接または最も近づくこととなり、ルアーＬは水底から一定の距離を置くことができるので根掛りの可能性が少なくなる。また、根掛りする場合、主に錘Ｗが根掛りをすることとなるが、錘Ｗは一定以上の力で引張られると脱落するように形成された錘用留め具２１に固定されているので、強く釣り糸Ｆを引くことで錘Ｗだけ脱落させルアー用仕掛けＸはルアーＬとともに回収することができる。
【００１１】
なお、上記実施形態に示すルアー用仕掛けＸは一例であり、種々の変更が可能である。図４にイカ釣り用のルアー用仕掛けＹを示す。ルアー用仕掛けＹは、錘保持部２０Ａが下方側に延びる長い線材により形成されており、他の部分を構成する線材もルアー用仕掛けＸよりも長く形成されている。この他、ルアー装着部４０を構成する線材を増やしたり、減らしたりすることができる。この場合、水底を狙わないのであれば、ルアー装着部４０は装着するルアー錘Ｗよりも下方に位置してもよい。
また、浮き保持部３０をルアー装着部４０とは別に独立して設けてもよい。さらに、浮き保持部３０は、浮き保持部３０を構成する前端部を左右に二分する鉛直な平面に対称となるような２本に代えたり、当該２本を追加したりしてもよく、さらに多数の先材により構成してもよい。
そして、上記実施形態では錘保持部２０は錘を後から装着するようにし、浮き保持部３０は浮きを予め固定しているが、錘保持部２０で予め錘を固定していてもよく、浮き保持部で浮きを装着できる構造を設けておき、後から浮きを固定できるようにしてもよい。
さらに、錘保持部２０や浮き保持部３０は線材で構成しなくても板体やブロック体で構成してもよい。
それから、錘保持部２０にルアー用留め具を設けることで、錘保持部２０にルアー装着部３０の機能を付与するようにしてもよい。
【符号の説明】
【００１２】
Ｘ、Ｙ      ルアー用仕掛け
Ｗ  錘
Ｌ  ルアー
Ｆ  釣り糸
１０  前方部
１１  釣り糸連結部
２０  錘保持部
２０ａ  傾斜部
２１  錘用留め具
３０  浮き保持部
３１  浮き
４０  ルアー装着部
４１  ルアー用留め具
【図１】
2013215134.tif 000003
【図２】
2013215134.tif 000004
【図３】
2013215134.tif 000005
【図４】
2013215134.tif 000006
【図５】
2013215134.tif 000007